(57)【特許請求の範囲】
【請求項１】
プラズマディスプレイパネル用蛍光体であって、
母体及び付活元素とから構成される蛍光体を２種以上含み、１つの蛍光体の母体が、他の蛍光体と同じ構成元素及び組成であり、１つの蛍光体の付活元素が、他の蛍光体と異なる種類であるか又は異なる量で含まれ、
前記母体がＬａＭｇＡｌ11Ｏ19であり、前記付活元素がＭｎ、Ｔｂ、Ｌｕ、Ｔｉ、Ｇｄ又はＹｂの中から選ばれる、異なる種類の組み合せであるか、あるいは、前記母体がＢａＺｎＡｌ10Ｏ17であり、前記付活元素がＭｎで異なる量の組み合せであるか、の何れかであり、
燐光時間、色度又は輝度の何れかを調整制御したことを特徴とするプラズマディスプレイパネル用蛍光体。
【発明の詳細な説明】
【技術分野】
【０００１】
本発明は、プラズマディスプレイパネル用蛍光体に関する。
【背景技術】
【０００２】
蛍光体は、種々の分野で広く使用されている。例えば、蛍光ランプのような照明装置用蛍光体、ＰＤＰのような表示装置用蛍光体、Ｘ線撮像管用蛍光体として使用されている。例えばカラー表示装置では、一般的に赤色、青色及び緑色の３色の蛍光体が使用され、これら３色の蛍光体からの蛍光を組み合わせることで所望の色の発光が得られる。
【０００３】
各色の蛍光体は、通常１種類であり、その性質（燐光特性、色度、輝度等）が決まっており、蛍光体を使用する装置の種類に応じて、蛍光体を構成する母体及び付活元素の種類及び組成を検討する必要がある。しかしながら、１種類の蛍光体で、必要な性質を満足させるのは困難であった。
【０００４】
そのため、特開平１１−２９７２２１号公報（特許文献１）では、母体及び付活元素の異なる蛍光体を組み合わせた蛍光体組成物を使用することで、必要な性質を得ようとする試みが報告されている。具体的には、この公報では、赤、緑及び青の各蛍光体組成物中に、長蛍光寿命蛍光体と短蛍光寿命蛍光体を混合することで、各色の蛍光寿命をほぼ一致させることができるとされている。この公報に記載されている具体的な、長蛍光寿命蛍光体と短蛍光寿命蛍光体とからなる蛍光体組成物は、（Ｙ，Ｇｄ）ＢＯ3：ＥｕとＹ2Ｏ3：Ｐｒの赤色蛍光体組成物、Ｚｎ2ＳｉＯ4：ＭｎとＳｒＡｌ2Ｏ4：Ｅｕの緑色蛍光体組成物、ＹＶＯ4：ＴｍとＢａＭｇＡｌ10Ｏ17：Ｅｕの青色蛍光体組成物である。なお、蛍光体は、母体：付活元素で表現する。例えば、（Ｙ，Ｇｄ）ＢＯ3：Ｅｕにおいて、（Ｙ，Ｇｄ）ＢＯ3は母体、Ｅｕは付活元素を意味する。
【特許文献１】特開平１１−２９７２２１号公報
【発明の開示】
【発明が解決しようとする課題】
【０００５】
上記公報に記載の各色の蛍光体は、母体及び付活元素が異なっている。そのため、同じ色の蛍光体でも色度、放電開始電圧、劣化速度、燐光時間等の特性が異なり、時間を経て蛍光体が劣化するごとに蛍光体組成物の色調、印加電圧等の調整が必要となるという課題がある。
【課題を解決するための手段】
【０００６】
本発明の発明者らは、鋭意検討した結果、同じ構成元素及び組成の母体からなる２種以上の蛍光体を使用し、その蛍光体への付活元素の種類及び／又は量を異ならせることで、上記課題を解決できることを意外にも見い出し、本発明に至った。
【０００７】
かくして、本発明によれば、プラズマディスプレイパネル用蛍光体であって、
母体及び付活元素とから構成される蛍光体を２種以上含み、１つの蛍光体の母体が、他の蛍光体と同じ構成元素及び組成であり、１つの蛍光体の付活元素が、他の蛍光体と異なる種類であるか又は異なる量で含まれ、
前記母体がＬａＭｇＡｌ11Ｏ19であり、前記付活元素がＭｎ、Ｔｂ、Ｌｕ、Ｔｉ、Ｇｄ又はＹｂの中から選ばれる、異なる種類の組み合せであるか、あるいは、前記母体がＢａＺｎＡｌ10Ｏ17であり、前記付活元素がＭｎで異なる量の組み合せであるか、の何れかであり、
燐光時間、色度又は輝度の何れかを調整制御したことを特徴とするプラズマディスプレイパネル用蛍光体が提供される。
【発明の効果】
【０００９】
本発明の蛍光体組成物によれば、それを構成する各蛍光体は、母体が同一で、付活元素が異なっているため、蛍光体の劣化時間をほぼ同じにすることができる。その結果、時間を経ても色調、印加電圧等を調整する必要を実質的になくすことができる。
また、蛍光体層をペーストの焼成により形成する場合、母体が異なる蛍光体からなる組成物に比べて、本発明の蛍光体組成物は、母体が同一のため、ペーストのポットライフを安定させることができる。
【発明を実施するための最良の形態】
【００１０】
本発明の蛍光体組成物は、２種以上の蛍光体からなる。更に、組成物中、１つの蛍光体の母体は、他の蛍光体と同じ構成元素及び組成であり、１つの蛍光体の付活元素は、他の蛍光体と異なる種類であるか又は異なる量で組成物中に含まれている。蛍光体の基本特性は、母体を構成する元素種及び組成でほぼ決まる。そのため、本発明の蛍光体組成物は、時間経過後も、基本特性の変動を抑制できる。
【００１１】
母体としては、特に限定されず、Ｙ2ＳｉＯ5、Ｙ3Ａｌ5Ｏ12、Ｚｎ2（ＰＯ4）2、ＹＢＯ3、ＧｄＢＯ3、ＳｃＢＯ3、ＬｕＢＯ3、（Ｙ，Ｇｄ）ＢＯ3、Ｙ2Ｏ3等の赤色蛍光体の母体、ＬａＭｇＡｌ11Ｏ19、ＣｅＭｇＡｌ11Ｏ19、Ｚｎ2ＳｉＯ4、ＢａＡｌ12Ｏ19、ＢａＭｇＡｌ14Ｏ23、ＳｒＡｌ12Ｏ19、ＺｎＡｌ12Ｏ19、ＣａＡｌ12Ｏ19、ＹＢＯ3、ＬｕＢＯ3、ＧｄＢＯ3、ＳｃＢＯ3、Ｓｒ4Ｓｉ3Ｏ8Ｃl4、ＳｒＡｌ2Ｏ4等の緑色蛍光体の母体、ＣａＷＯ4、Ｙ2ＳｉＯ5、ＢａＭｇＡｌ14Ｏ23、ＹＶＯ4、ＢａＭｇＡｌ10Ｏ17等の青色蛍光体の母体が挙げられる。これら母体は、真空紫外線励起蛍光体であり、プラズマディスプレイパネル（ＰＤＰ）に使用できる。
【００１２】
また、蛍光ランプ用の母体として、３Ｃａ3（ＰＯ4）2・Ｃａ（Ｆ，Ｃｌ）2、Ｓｒ10（ＰＯ4）6Ｃｌ2、（Ｓｒ，Ｃａ）10（ＰＯ4）6Ｃｌ2、（Ｂａ，Ｃａ，Ｍｇ）10（ＰＯ4）6Ｃｌ2、Ｓｒ2Ｐ2Ｏ7、Ｂａ2Ｐ2Ｏ7、（Ｓｒ，Ｍｇ）3（ＰＯ4）2、Ｃａ3（ＰＯ4）2、（Ｃａ，Ｚｎ）3（ＰＯ4）2、ＳｒＭｇＰ2Ｏ7、Ｓｒ3（ＰＯ4）2、２ＳｒＯ・０．８４Ｐ2Ｏ5・０．１６Ｂ2Ｏ3、ＬａＰＯ4、Ｌａ2Ｏ3・０．２ＳｉＯ2・０．９Ｐ2Ｏ5、Ｚｎ2ＳｉＯ4、ＣａＳｉＯ3、（Ｂａ，Ｓｒ，Ｍｇ）3Ｓｉ2Ｏ7、（Ｂａ，Ｍｇ，Ｚｎ）3Ｓｉ2Ｏ7、ＢａＳｉ2Ｏ5、Ｓｒ2Ｓｉ3Ｏ8・２ＳｒＣｌ2、Ｂａ3ＭｇＳｉ2Ｏ8、Ｙ2ＳｉＯ5、ＣａＷＯ4、ＭｇＷＯ4、ＬｉＡｌＯ2、ＢａＡｌ8Ｏ13、ＢａＭｇ2Ａｌ16Ｏ27、Ｓｒ4Ａｌ14Ｏ25、ＳｒＭｇＡｌ10Ｏ17、ＣｅＭｇＡｌＯ19、Ｙ2Ｏ3、Ｙ（Ｐ，Ｖ）Ｏ4、ＹＶＯ4、Ｃｄ2Ｂ2Ｏ5、ＳｒＢ4Ｏ7Ｆ、ＧｄＭｇＢ5Ｏ10、６ＭｇＯ・Ａｓ2Ｏ5、３．５ＭｇＯ・０．５ＭｇＦ2・ＧｅＯ2、ＭｇＧａ2Ｏ4等が挙げられる。
【００１３】
次に、付活元素としては、Ｌｉ、Ｂ、Ｍｇ、Ａｌ、Ｓｉ、Ｐ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｓｒ、Ｙ、Ｚｒ、Ｎｂ、Ｍｏ、Ｒｕ、Ａｇ、Ｉｎ、Ｓｎ、Ｔｅ、Ｂａ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｈｆ、Ｔａ、Ｗ、Ｒｅ、Ｉｒ、Ａｕ、Ｂｉ等が挙げられる。これら付活元素は、母体の種類に応じて適宜選択される。
【００１４】
上記母体の内、真空紫外線励起蛍光体の母体が好ましく、中でも緑色蛍光体の母体が好ましい。より好ましくは、ＬａＭｇＡｌ11Ｏ19又はＢａＺｎＡｌ10Ｏ17であり、特にＬａＭｇＡｌ11Ｏ19が好ましい。
ＬａＭｇＡｌ11Ｏ19に好適に使用できる付活元素としては、Ｍｎ、Ｔｂ、Ｌｕ、Ｔｉ、Ｇｄ、Ｙｂ等が挙げられる。
【００１５】
本発明では、蛍光体組成物中の１つの蛍光体は、他の蛍光体と異なる種類であるか又は異なる量で付活元素を含んでいる。付活元素の種類及び量は、１つの蛍光体と他の蛍光体の特性（例えば、燐光時間、色度又は輝度）が異なるように適宜選択される。以下では、蛍光体組成物中に、１つの蛍光体と他の蛍光体の２種が含まれている場合を例として説明するが、３種以上の蛍光体が含まれていてもよいことは言うまでもない。
【００１６】
例えば、燐光時間は、０．１秒残光時間で評価した場合、１つの蛍光体の燐光時間より、５％以上短い他の蛍光体を使用することができる。ここで、０．１秒残光時間は、パルス発生器を使ってエキシマランプ光を制御し、ゲート回路付フォトンカウンターにより測定した値である。
【００１７】
また、色度は、ｘ座標とｙ座標により表現されるが、ｘ座標の場合、１つの蛍光体のｘ座標より、±０．３の蛍光体を使用することができ、ｙ座標の場合、１つの蛍光体のｙ座標より、±０．３の蛍光体を使用することができる。ここで、色度は、重水素ランプを使った分光法により測定した値である。
更に、輝度は、１つの蛍光体の輝度より、５％以上大きい他の蛍光体を使用することができる。ここで、輝度は、重水素ランプを使った分光法により測定した値である。
【００１８】
より具体的には、母体がＬａＭｇＡｌ11Ｏ19の場合、燐光時間は、１つの蛍光体の燐光時間より、１０％以上短い他の蛍光体を使用することができる。また、色度の内、ｘ座標は、１つの蛍光体のｘ座標より、±０．２の蛍光体を使用することができ、ｙ座標は、１つの蛍光体のｙ座標より、±０．２の蛍光体を使用することができる。更に、輝度は、１つの蛍光体の輝度より、１０％以上大きい他の蛍光体を使用することができる。
【００１９】
母体がＬａＭｇＡｌ11Ｏ19の場合において、蛍光体の特性を異ならせる具体例としては、まず、付活元素をＬｕとＴｉを１つの蛍光体と他の蛍光体それぞれ使用することが挙げられる。Ｌｕを含む蛍光体は、母体のみの蛍光体に比べて、輝度が高いが、燐光時間が長いという性質を有している。また、Ｔｉを含む蛍光体は、母体のみの蛍光体に比べて、燐光時間が短いが、輝度が低いという性質を有している。そのため、両蛍光体を混合することにより、輝度と燐光時間を所望の値に調整することができる。更に、組成物中のＬｕを含む蛍光体の量を５０〜８５重量％とすることで、母体のみの蛍光体に比べて、輝度と燐光時間の両方を向上できる。
【００２０】
次に、付活元素としてＭｎとＴｂを１つの蛍光体と他の蛍光体それぞれ使用することが挙げられる。Ｍｎを含む蛍光体は、Ｔｂを含む蛍光体に比べて、色度（ｘ及びｙ座標）が高いという性質を有している。よって、両蛍光体を使用することで、色度を、Ｍｎを含む蛍光体の色度から、Ｔｂを含む蛍光体の色度まで、所望の値に調整することができる。
【００２１】
また、Ｍｎ又はＴｂの濃度を１つの蛍光体と他の蛍光体で変化させることが挙げられる。例えば、Ｍｎの場合、該元素を含ませることで、母体のみの蛍光体に比べて、輝度を改善できる。特に、０．０６のモル比の蛍光体は、輝度を最も上げることができる。Ｍｎ量は、１つの蛍光体又は他の蛍光体とも、０モル％より多いことが好ましい。Ｍｎ量が１モル％以上の蛍光体を使用すれば、母体のみの蛍光体に比べて、輝度を改善できる。加えて、１つの蛍光体と他の蛍光体の配合量を調整することで、両蛍光体の輝度間で、輝度を調整することができる。Ｍｎ量の上限は通常１０モル％である。
【００２２】
更に、Ｍｎ量を変化させることで、色度のｘ値を０．１５〜０．２５、ｙ値を０．５６〜０．７３の範囲で変化させることができるので、１つの蛍光体と他の蛍光体の配合量を調整することで、両蛍光体の色度間で、色度を調整することができる。
【００２３】
一方、Ｔｂの場合、該元素を含ませることで、母体のみの蛍光体に比べて、輝度を改善できる。特に、０．４のモル比の蛍光体は、輝度を最も上げることができる。Ｔｂは、１つの蛍光体又は他の蛍光体中、その量を０モル％以上含むことが好ましい。Ｔｂ量が５モル％以上の蛍光体中を使用すれば、母体のみの蛍光体に比べて、輝度を改善できる。加えて、１つの蛍光体と他の蛍光体の配合量を調整することで、両蛍光体の輝度間で、輝度を調整することができる。Ｔｂ量の上限は７０モル％である。
【００２４】
更に、Ｔｂ量を変化させることで、色度のｘ値を０．３０〜０．３２、ｙ値を０．４３〜０．６０の範囲で変化させることができるので、１つの蛍光体と他の蛍光体の配合量を調整することで、両蛍光体の色度間で、色度を調整することができる。
【００２５】
母体がＢａＺｎＡｌ10Ｏ17の場合において、蛍光体の特性を異ならせる具体例としては、Ｍｎの濃度を１つの蛍光体と他の蛍光体で変化させることが挙げられる。Ｍｎを含ませることで、母体のみの蛍光体に比べて、輝度を改善できる。特に、０．０３のモル比の蛍光体は、輝度を最も上げることができる。Ｍｎ量は、１つの蛍光体又は他の蛍光体とも、０モル％より多いことが好ましい。Ｍｎ量が１モル％以上の蛍光体を使用すれば、母体のみの蛍光体に比べて、輝度を改善できる。加えて、１つの蛍光体と他の蛍光体の配合量を調整することで、両蛍光体の輝度間で、輝度を調整することができる。Ｍｎ量の上限は通常１０モル％である。
【００２６】
更に、Ｍｎ量を変化させることで、色度のｘ値を０．１０〜０．１２、ｙ値を０．７２〜０．７５の範囲で変化させることができるので、１つの蛍光体と他の蛍光体の配合量を調整することで、両蛍光体の色度間で、色度を調整することができる。
【００２７】
蛍光体は、公知の方法で形成することができる。例えば、母材を構成する元素、付活元素を含有する化合物を所望のモル比になるように秤量する。これら化合物を焼成する。次いで、得られた蛍光体の焼結体を粉砕及び分級することにより、所定粒子径の蛍光体を得ることができる。
【００２８】
焼成の条件は、元素の種類により適宜調整されるが、一般には、付活性雰囲気（例えば、窒素雰囲気）や還元性雰囲気下で、１３００〜１６００℃で、１〜１０時間、大気圧下が好ましい。なお、焼成温度を下げるために、ＡｌＦ3、ＭｇＦ2、ＬｉＦ、ＮａＦ等のハロゲン化物あるいはＢ2Ｏ3、Ｐ2Ｏ5などの低融点酸化物からなる反応促進剤を、本発明の効果を妨げない範囲内で使用してもよい。
本発明の蛍光体組成物は、上記で得られた蛍光体を混合することにより得られる。混合は公知の方法により行うことができる。
【００２９】
本発明の蛍光体は、蛍光ランプ、液晶表示装置のバックライト等の照明装置、ＰＤＰ、ＣＲＴ、蛍光表示管、Ｘ線撮像管等の表示装置に用いることができる。以下では、図１のＰＤＰに本発明の蛍光体を適用した例について述べる。
【００３０】
図１のＰＤＰは、３電極ＡＣ型面放電ＰＤＰである。なお、本発明は、このＰＤＰに限らず、蛍光体を含むＰＤＰであればどのような構成にも適用することができる。例えば、ＡＣ型に限らずＤＣ型でもよく、反射型及び透過型のいずれのＰＤＰにも使用することができる。
【００３１】
図１のＰＤＰ１００は、前面基板と背面基板とから構成される。
まず、前面基板は、一般的に、基板１１上に形成された複数本の表示電極、表示電極を覆うように形成された誘電体層１７、誘電体層１７上に形成され放電空間に露出する保護層１８とからなる。
【００３２】
基板１１は、特に限定されず、ガラス基板、石英ガラス基板、シリコン基板等が挙げられる。
表示電極は、ＩＴＯのような透明電極４１からなる。また、表示電極の抵抗を下げるために、透明電極４１上にバス電極（例えば、Ｃｒ／Ｃｕ／Ｃｒの３層構造）４２を形成してもよい。
【００３３】
誘電体層１７は、ＰＤＰに通常使用されている材料から形成される。具体的には、低融点ガラスとバインダとからなるペーストを基板上に塗布し、焼成することにより形成することができる。
保護層１８は、表示の際の放電により生じるイオンの衝突による損傷から誘電体層１７を保護するために設けられる。保護層１８は、例えば、ＭｇＯ、ＣａＯ、ＳｒＯ、ＢａＯ等からなる。
【００３４】
次に、背面基板は、一般的に、基板２１上に前記表示電極と交差する方向に形成された複数本のアドレス電極Ａ、アドレス電極Ａを覆う誘電体層２７、隣接するアドレス電極Ａ間で誘電体層２７上に形成された複数のストライプ状の隔壁２９、隔壁２９間に壁面を含めて形成された蛍光体層２８とからなる。
【００３５】
基板２１及び誘電体層２７には、前記前面基板を構成する基板１１及び誘電体層１７と同種類のものを使用することができる。
アドレス電極Ａは、例えば、Ａｌ、Ｃｒ、Ｃｕ等の金属層や、Ｃｒ／Ｃｕ／Ｃｒの３層構造からなる。
【００３６】
隔壁２９は、低融点ガラスとバインダとからなるペーストを誘電体層２７上に塗布し、乾燥した後、サンドブラスト法で切削することにより形成することができる。また、バインダに感光性の樹脂を使用した場合、所定形状のマスクを使用して露光及び現像した後、焼成することにより形成することも可能である。
【００３７】
図１では、隔壁２９間に蛍光体層２８が形成されているが、本発明の蛍光体はこの蛍光体層２８の原料として使用することができる。蛍光体層２８の形成方法は、特に限定されず、公知の方法が挙げられる。例えば、溶媒中にバインダが溶解された溶液に蛍光体を分散させたペーストを、隔壁２９間に塗布し、空気雰囲気下で焼成することにより蛍光体層２８を形成することができる。
【００３８】
次に、上記前面基板と背面基板を、表示電極（４１、４２）とアドレス電極Ａが直交するように、両電極を内側にして対向させ、隔壁２９により囲まれた空間３０に放電ガスを充填することによりＰＤＰ１００を形成することができる。
【００３９】
なお、上記ＰＤＰでは放電空間を規定する隔壁、誘電体層及び保護膜の内、背面基板側の隔壁と誘電体層上に蛍光体層を形成しているが、同様の方法により前面基板側の保護膜上にも蛍光体層を形成してもよい。
【実施例】
【００４０】
以下、本発明の実施例について説明する。なお、本発明は以下の実施例に限定されるものではない。
実施例１
下記蛍光体ａ〜ｄを以下の方法で作製した。
蛍光体ａ：(La0.65Tb0.35)(Mg0.97Mn0.03)Al11O19
蛍光体ｂ：(La0.647Tb0.35Lu0.003)(Mg0.97Mn0.03)Al11O19
蛍光体ｃ：(La0.65Tb0.35)(Mg0.97Mn0.03)(Al10.997Ti0.003)O19
蛍光体ｄ：(La0.647Tb0.35Lu0.003)(Mg0.97Mn0.03)(Al10.997Ti0.003)O19
表１に示す原料を適量のエタノールに加えて、3時間混合した。その後、窒素雰囲気で１４００℃で４時間保持した。できた試料を軽く粉砕後、再度、同じ条件で焼成することで蛍光体ａ〜ｄを得た。
【００４１】
【表１】
0004825499.tif 000002
【００４２】
これら蛍光体の波長１４７ｎｍ励起光による輝度測定結果及び１４６ｎｍ励起光による燐光時間測定結果を図２に示す。また、蛍光体ｂとｃを７５：２５、５０：５０および２５：７５（重量比）で混合したときの輝度及び燐光時間の測定結果を図２及び表２に示す。なお、図２及び表２における輝度及び燐光時間は、蛍光体ａに対する相対値を意味する。
【００４３】
【表２】
0004825499.tif 000003
【００４４】
図２及び表２から、Ｌｕを添加した蛍光体ｂは蛍光体ａに比べ、輝度が高く、燐光時間が長かった。Ｔｉを添加した蛍光体ｃは蛍光体ａに比べ、輝度が低く、燐光時間が短かった。つまりＬｕ添加で輝度アップ、Ｔｉ添加で燐光改善を確認した。しかし、輝度アップと燐光時間低減の両方狙ったＬｕとＴｉの両添加蛍光体ｄは蛍光体ａに比べ、燐光時間は低減するものの、輝度は全く改善していなかった。
【００４５】
これに対して、蛍光体ｂと蛍光体ｃを任意の割合で混合した場合、輝度と燐光時間を制御することが可能となり、蛍光体aに比べ輝度アップと燐光時間低減の両方を実現できる。
【００４６】
実施例２
下記蛍光体ｅ及びｆを表３に示す原料を使用すること以外は、実施例１と同様にして作製した。
蛍光体ｅ：La(Mg0.97Mn0.03)Al11O19
蛍光体ｆ：(La0.7Tb0.3)MgAl11O19
【００４７】
【表３】
0004825499.tif 000004
【００４８】
これら蛍光体を混合した蛍光体組成物の波長１４７ｎｍ励起光による色度測定結果を図３及び表４に示す。あわせて、蛍光体ｅとｆの色度測定結果を図３及び表４に示す。
【００４９】
【表４】
0004825499.tif 000005
【００５０】
蛍光体ｅと蛍光体ｆを混合した場合、図３及び表４に示されている範囲で、色度を任意の値に制御することが可能となる。
【００５１】
実施例３
下記蛍光体ｇ１〜ｇ６を表５に示す原料を使用すること以外は、実施例１と同様にして作製した。
蛍光体ｇ１〜ｇ６：La(Mg1-aMna)Al11O19
（ａ＝０．０１、０．０２、０．０３、０．０４、０．０５、０．０６）
【００５２】
【表５】
0004825499.tif 000006
【００５３】
これら蛍光体の波長１４７ｎｍ励起光による輝度測定結果を図４及び表６に示す。なお、図４及び表６における輝度は、蛍光体ｇ１に対する相対値を意味する。また、波長１４７ｎｍ励起光による色度測定結果を図５及び表６に示す。
【００５４】
【表６】
0004825499.tif 000007
【００５５】
蛍光体ｇ１〜ｇ６を混合した場合、図４、図５及び表６に示されている範囲で、輝度及び色度を任意の値に制御することが可能となる。
【００５６】
実施例４
下記蛍光体ｈ１〜ｈ６を表７に示す原料を使用すること以外は、実施例１と同様にして作製した。
蛍光体ｈ１〜ｈ６：(La1-bTbb)MgAl11O19
（ｂ＝０．０５、０．１、０．２、０．３、０．４、０．５）
【００５７】
【表７】
0004825499.tif 000008
【００５８】
これら蛍光体の波長１４７ｎｍ励起光による輝度測定結果を図６及び表８に示す。なお、図６及び表８における輝度は、蛍光体ｈ１に対する相対値を意味する。また、波長１４７ｎｍ励起光による色度測定結果を図５及び表８に示す。
【００５９】
【表８】
0004825499.tif 000009
【００６０】
蛍光体ｈ１〜ｈ６を混合した場合、図５、図６及び表８に示されている範囲で、輝度及び色度を任意の値に制御することが可能となる。
【００６１】
実施例５
下記蛍光体ｉ１〜ｉ４を表９に示す原料を使用し、窒素雰囲気で１３５０℃で４時間保持すること以外は、実施例１と同様にして作製した。
蛍光体ｉ１〜ｉ４：Ba(Zn1-cMnc)Al10O17
（ｃ＝０．０１、０．０３、０．０４、０．１）
【００６２】
【表９】
0004825499.tif 000010
【００６３】
これら蛍光体の波長１４７ｎｍ励起光による輝度測定結果を図７及び表１０に示す。なお、図７及び表１０における輝度は、蛍光体ｉ１に対する相対値を意味する。また、波長１４７ｎｍ励起光による色度測定結果を図８及び表１０に示す。
【００６４】
【表１０】
0004825499.tif 000011
【００６５】
蛍光体ｉ１〜ｉ４を混合した場合、図７、図８及び表１０に示されている範囲で、輝度及び色度を任意の値に制御することが可能となる。
【図面の簡単な説明】
【００６６】
【図１】ＰＤＰの概略斜視図である。
【図２】実施例１の輝度及び燐光時間の測定結果を示すグラフである。
【図３】実施例２の色度測定結果を示すグラフである。
【図４】実施例３の輝度測定結果を示すグラフである。
【図５】実施例３及び４の色度測定結果を示すグラフである。
【図６】実施例４の輝度測定結果を示すグラフである。
【図７】実施例５の輝度測定結果を示すグラフである。
【図８】実施例５の色度測定結果を示すグラフである。
【符号の説明】
【００６７】
１１、２１  基板
１７、２７  誘電体層
１８  保護層
２８  蛍光体層
２９  隔壁
３０  空間
４１  透明電極
４２  バス電極
１００  ＰＤＰ
Ａ  アドレス電極
【図１】
0004825499.tif 000012
【図２】
0004825499.tif 000013
【図３】
0004825499.tif 000014
【図４】
0004825499.tif 000015
【図５】
0004825499.tif 000016
【図６】
0004825499.tif 000017
【図７】
0004825499.tif 000018
【図８】
0004825499.tif 000019